(57)【要約】【課題】  自治体からの情報を適切かつ柔軟に提供する。【解決手段】  自治体側装置２と電力会社側装置３とが通信自在に接続され、自治体側装置２は、提供する自治体情報と該自治体情報を視聴すべき視聴者の住所や居所を含む属性とを含む情報配信指令を、電力会社側装置３に送信する配信指令部２４を備える。電力会社側装置３は、需要家の住所や居所を含む属性と、該需要家宅に設置されたスマートメータ４の識別情報とを含む需要家情報を記憶した需要家データベース３３と、情報配信指令を受信した場合に、該情報配信指令内の視聴者の属性に該当する需要家を需要家データベース３３から取得し、取得した需要家のスマートメータ４に自治体情報を配信する情報配信部３４と、を備え、スマートメータ４は、電力会社側装置３から配信された自治体情報を出力するホームコントローラ５を備える。【選択図】  図１
2016133840.tif 000002
【特許請求の範囲】
【請求項１】
自治体に配設された自治体側装置と、電力会社に配設され各需要家宅に設置されたスマートメータと通信自在な電力会社側装置とが、通信自在に接続され、
前記自治体側装置は、提供する自治体情報と該自治体情報を視聴すべき視聴者の住所や居所を含む属性とを含む情報配信指令を、前記電力会社側装置に送信する配信指令手段を備え、
前記電力会社側装置は、
需要家の住所や居所を含む属性と、該需要家宅に設置されたスマートメータの識別情報とを含む需要家情報を記憶した需要家情報記憶手段と、
前記情報配信指令を受信した場合に、該情報配信指令内の視聴者の属性に該当する需要家を前記需要家情報記憶手段から取得し、取得した需要家のスマートメータに前記自治体情報を配信する情報配信手段と、を備え、
前記スマートメータは、前記電力会社側装置から配信された自治体情報を出力する出力手段を備える、
ことを特徴とする自治体情報提供システム。
【請求項２】
前記出力手段は、前記需要家宅に配設され情報を入力する情報入力手段を備えたホームコントローラで構成され、
前記スマートメータは、前記情報入力手段で入力された情報を該スマートメータの識別情報とともに、住民側情報として前記電力会社側装置に送信し、
前記電力会社側装置は、前記住民側情報を受信すると、該需要家が属する自治体を前記需要家情報記憶手段に基づいて割り出し、割り出した自治体の前記自治体側装置に前記住民側情報を送信する、
ことを特徴とする請求項１に記載の自治体情報提供システム。
【発明の詳細な説明】
【技術分野】
【０００１】
この発明は、防災情報などの自治体からの情報を住民等に提供するための自治体情報提供システムに関する。
【背景技術】
【０００２】
例えば、市町村防災行政無線では、市町村の役所から無線によって、各家庭等に設置された防災システム端末や屋外に設置された屋外スピーカに、一斉に防災情報・メッセージを送る。そして、防災システム端末や屋外スピーカから防災情報を出力・放送することで、各住民等に防災情報を周知するものである。
【０００３】
また、市町村防災無線システムにおいて、ＢＢＤを利用せずに終話信号の漏れを防止できる、という技術が知られている（例えば、特許文献１参照。）。この市町村防災無線システムは、ＭＳＫ（Ｍｉｎｉｍｕｍ  Ｓｈｉｆｔ  Ｋｅｙｉｎｇ）信号を含む防災情報を送出する操作卓を有する防災情報放送装置と、防災情報を受信してこれを放送・表示する戸別受信装置と、屋外拡声装置とで構成されている。そして、戸別受信装置は、操作卓からのＴ．ＳＱ信号を検出したとき、音声を放送したスピーカに対してスピーカ閉の処理を行うものである。
【先行技術文献】
【特許文献】
【０００４】
【特許文献１】特開２００２−３６８７０５号公報
【発明の概要】
【発明が解決しようとする課題】
【０００５】
ところで、従来の防災システムでは、すべての防災システム端末等に同じ防災情報が送られる。つまり、各家庭等で出力される防災情報は、同じ自治体内ではすべて同一のものとなる。このため、例えば、地域ごとに防災情報を変えたり、特定の住民のみに特定の防災情報を提供したりすることができず、適切かつ柔軟な情報提供が困難であった。このような問題は、特許文献１の市町村防災無線システムにおいても同様である。
【０００６】
そこでこの発明は、自治体からの情報を適切かつ柔軟に提供することを可能にする自治体情報提供システムを提供することを目的とする。
【課題を解決するための手段】
【０００７】
上記課題を解決するために、請求項１の発明は、自治体に配設された自治体側装置と、電力会社に配設され各需要家宅に設置されたスマートメータと通信自在な電力会社側装置とが、通信自在に接続され、前記自治体側装置は、提供する自治体情報と該自治体情報を視聴すべき視聴者の住所や居所を含む属性とを含む情報配信指令を、前記電力会社側装置に送信する配信指令手段を備え、前記電力会社側装置は、需要家の住所や居所を含む属性と、該需要家宅に設置されたスマートメータの識別情報とを含む需要家情報を記憶した需要家情報記憶手段と、前記情報配信指令を受信した場合に、該情報配信指令内の視聴者の属性に該当する需要家を前記需要家情報記憶手段から取得し、取得した需要家のスマートメータに前記自治体情報を配信する情報配信手段と、を備え、前記スマートメータは、前記電力会社側装置から配信された自治体情報を出力する出力手段を備える、ことを特徴とする自治体情報提供システムである。
【０００８】
この発明によれば、自治体側装置の配信指令手段によって、自治体情報と視聴者の属性とを含む情報配信指令が電力会社側装置に送信されると、電力会社側装置の情報配信手段によって、情報配信指令内の視聴者の属性に該当する需要家のスマートメータに自治体情報が配信される。これを受けて、この需要家・視聴者のスマートメータの出力手段によって、自治体情報が出力される。
【０００９】
請求項２の発明は、請求項１に記載の自治体情報提供システムにおいて、前記出力手段は、前記需要家宅に配設され情報を入力する情報入力手段を備えたホームコントローラで構成され、前記スマートメータは、前記情報入力手段で入力された情報を該スマートメータの識別情報とともに、住民側情報として前記電力会社側装置に送信し、前記電力会社側装置は、前記住民側情報を受信すると、該需要家が属する自治体を前記需要家情報記憶手段に基づいて割り出し、割り出した自治体の前記自治体側装置に前記住民側情報を送信する、ことを特徴とする。
【発明の効果】
【００１０】
請求項１の発明によれば、自治体側装置からの視聴者の属性に該当する需要家のスマートメータに対してのみ、自治体情報が配信される。このため、視聴者の属性を変えることで、特定の住民等・需要家のみに特定の自治体情報を提供することができ、自治体からの情報を適切かつ柔軟に提供することが可能となる。また、スマートメータを利用して情報を提供するため、自治体からの情報を提供するために新たな通信網を構築する必要がなく、本システムを容易に構築することが可能となる。
【００１１】
請求項２の発明によれば、ホームコントローラで入力された住民等からの情報が、スマートメータおよび電力会社側装置を介して自治体側装置に送信されるため、住民等の情報、状況を自治体で確実かつ容易に把握することができる。
【図面の簡単な説明】
【００１２】
【図１】この発明の実施の形態に係る自治体情報提供システムを示す概略構成図である。
【図２】図１の自治体情報提供システムの自治体側装置を示す概略構成ブロック図である。
【図３】図１の自治体情報提供システムの電力会社側装置を示す概略構成ブロック図である。
【図４】図３の電力会社側装置の需要家データベースのデータ構成図である。
【図５】図１の自治体情報提供システムの動作を示すタイミングチャートである。
【発明を実施するための形態】
【００１３】
以下、この発明を図示の実施の形態に基づいて説明する。
【００１４】
図１は、この発明の実施の形態に係る自治体情報提供システム１を示す概略構成図である。この自治体情報提供システム１は、防災情報などの自治体からの情報を住民や勤務者等に提供するためのシステムであり、自治体１００に配設された自治体側装置２と、電力会社２００に配設され電力会社側装置３とが、通信網ＮＷを介して通信自在に接続され、電力会社側装置３は、スマートメータ網ＥＮＷを介して、各需要家宅Ｈに設置されたスマートメータ４と通信自在に接続されている。また、各需要家宅Ｈ内には、ホームコントローラ（出力手段、防災システム端末）５が配設され、スマートメータ４とホームコントローラ５は、通信自在に接続されている。ここで、複数の自治体１００にそれぞれ、自治体側装置２が配設されているものとする。
【００１５】
自治体側装置２は、図２に示すように、主として、通信部２１と、入力部２２と、記憶部２３と、配信指令部（配信指令手段）２４と、これらを制御などする中央処理部２５と、を備えている。
【００１６】
通信部２１は、通信網ＮＷを介して電力会社側装置３と相互通信するためインターフェイスであり、入力部２２は、情報配信指令などの情報を入力するためのインターフェイスであり、手入力や音声入力が可能となっている。ここで、情報配信指令には、自治体の名称、提供する自治体情報、該自治体情報を視聴すべき視聴者の属性、自治体情報の配信タイミングなどを含む。自治体情報は、住民等に周知したいメッセージであり、例えば、大規模災害発生時における避難勧告や避難命令などの防災情報、緊急地震速報、所定の日時に知らせるべき広報などが含まれる。
【００１７】
また、視聴すべき視聴者の属性には、視聴すべき住民等の住所や居所、家族構成、所有する設備、予め設定されたグループなどを含み、例えば、「全域」、所定地域「〇〇町〇〇地区」、「独り暮らし」などの属性を入力可能となっている。配信タイミングとは、自治体情報を配信・放送すべき日時であり、例えば、「即時」や「〇〇年〇月〇日〇時〇分」などと入力可能となっている。
【００１８】
記憶部２３は、情報配信指令などの情報を記憶するメモリである。配信指令部２４は、情報配信指令を電力会社側装置３に送信するタスク・プログラムであり、この実施の形態では、記憶部２３に記憶された情報配信指令の配信タイミングに達すると、中央処理部２５によって起動され、通信部２１を介して情報配信指令を電力会社側装置３に送信する。
【００１９】
電力会社側装置３は、各スマートメータ４から指示数を受信して電力料金を算出する、ことなどを主たる機能とし、この機能については、従来の装置と同様であり、この機能のほかに、所定の需要家に自治体情報を配信する機能を備えるものである。すなわち、図３に示すように、主として、第１の通信部３１と、第２の通信部３２と、需要家データベース（需要家情報記憶手段）３３と、情報配信部（情報配信手段）３４と、これらを制御などする中央処理部３５と、を備えている。
【００２０】
第１の通信部３１は、通信網ＮＷを介して自治体側装置２と相互通信するためインターフェイスであり、第２の通信部３２は、スマートメータ網ＥＮＷを介して各スマートメータ４と通信するためインターフェイスである。需要家データベース３３は、需要家の住所や居所を含む属性と、該需要家宅Ｈに設置されたスマートメータ４の識別情報とを含む需要家情報を記憶したデータベースである。
【００２１】
具体的には、図４に示すように、需要家の契約番号３３１ごとに、需要家名３３２、住所３３３、その他属性３３４、計器番号３３５、先月指示数３３６、今月指示数３３７などが記憶されている。契約番号３３１には、需要家と電力会社２００との契約を識別するための番号が記憶され、需要家名３３２には、需要家の氏名が記憶され、住所３３３には、この需要家の属性である需要家宅Ｈの住所や居所、所在地が記憶されている。
【００２２】
その他属性３３４には、この需要家に関するその他の属性、例えば、家族構成や所有する設備などが記憶されている。計器番号３３５には、スマートメータ４の識別番号（識別情報）が記憶され、先月指示数３３６には、先月の検針時の指示数が記憶され、今月指示数３３７には、今月の検針時の指示数が記憶されている。
【００２３】
情報配信部３４は、自治体側装置２から情報配信指令を受信した場合に、該情報配信指令内の視聴者の属性に該当する需要家を需要家データベース３３から取得し、取得した需要家のスマートメータ４に自治体情報を配信するタスク・プログラムである。すなわち、まず、情報配信指令内の視聴者の属性と同一の属性を有する需要家を、需要家データベース３３から検索、取得する。例えば、属性が「全域」の場合は、この自治体１００に属するすべての需要家を抽出し、属性が所定地域「〇〇町〇〇地区」の場合は、〇〇町〇〇地区に属する（位置する）すべての需要家を抽出する。次に、抽出した全需要家の計器番号３３５のスマートメータ４に、第２の通信部３２を介して情報配信指令内の自治体情報を配信・送信するものである。
【００２４】
さらに、電力会社側装置３は、スマートメータ４から後述する住民側情報（ホームコントローラ５からの情報とスマートメータ４の識別情報）を受信すると、該住民側情報の需要家が属する自治体１００を需要家データベース３３に基づいて割り出し、割り出した自治体１００の自治体側装置２に住民側情報を送信する。すなわち、住民側情報中のスマートメータ４の識別情報に対応する需要家を需要家データベース３３から検索、取得し、この需要家の住所や居所（住所３３３）から、この需要家が属する自治体１００を割り出す。そして、割り出した自治体１００の自治体側装置２に、この需要家の氏名（需要家名３３２）と需要家からの（ホームコントローラ５からの）情報などとを送信する。
【００２５】
ホームコントローラ５は、電力会社側装置３から配信された自治体情報を出力などする端末であり、ディスプレイ（出力手段）やスピーカ（出力手段）、タッチパネル（情報入力手段）やマイク（情報入力手段）、さらにはバッテリなどを備えている。一方、スマートメータ４は、電力会社側装置３から自治体情報を受信すると、自治体情報をホームコントローラ５に送信するようになっている。そして、ホームコントローラ５は、スマートメータ４から受信した自治体情報・メッセージを、ディスプレイやスピーカを介して文字や音声で出力するものである。また、ホームコントローラ５は、需要家が消去操作をしない限り、自治体情報を所定期間（例えば、１週間）保存する機能を備えている。
【００２６】
さらに、タッチパネルおよびマイクから情報を入力可能となっており、所定の操作によってタッチパネルなどから情報を入力すると、この情報をスマートメータ４に送信する。一方、スマートメータ４は、ホームコントローラ５から情報を受信すると、この情報をスマートメータ４の識別情報とともに、住民側情報として電力会社側装置３に送信する。
【００２７】
次に、このような構成の自治体情報提供システム１の作用・動作などについて、図５に従って説明する。
【００２８】
例えば、大規模災害が発生し、自治体１００の担当者が、住民等に提供・周知したい自治体情報（防災情報）や、視聴すべき視聴者の属性、配信タイミングなどを含む情報配信指令を、自治体側装置２の入力部２２から入力すると（ステップＳ１）、この情報配信指令が記憶部２３に記憶される（ステップＳ２）。続いて、情報配信指令の配信タイミングに達すると、配信指令部２４が起動され（ステップＳ３）、情報配信指令が電力会社側装置３に送信される（ステップＳ４）。例えば、配信タイミングが「即時」の場合、情報配信指令が即座に電力会社側装置３に送信される。
【００２９】
次に、電力会社側装置３においてこの情報配信指令を受信する、情報配信部３４が起動され（ステップＳ５）、上記のようにして、情報配信指令内の視聴者の属性に該当する全需要家のスマートメータ４に対して、自治体情報が配信される（ステップＳ６）。そして、該当する各需要家宅Ｈにおいて、この自治体情報がホームコントローラ５に送信されて（ステップＳ７）、ホームコントローラ５から自治体情報・メッセージが文字や音声で出力される（ステップＳ８）。
【００３０】
一方、需要家（住民等）がホームコントローラ５から情報を入力すると（ステップＳ９）、この情報がスマートメータ４に送信され（ステップＳ１０）、この情報を含む住民側情報がスマートメータ４から電力会社側装置３に送信される（ステップＳ１１）。そして、電力会社側装置３において、この住民側情報の需要家が属する自治体１００が割り出され、割り出された自治体１００の自治体側装置２に住民側情報が送信される（ステップＳ１２）ものである。
【００３１】
以上のように、この自治体情報提供システム１によれば、自治体側装置２からの視聴者の属性に該当する需要家のスマートメータ４に対してのみ、自治体情報が配信される。このため、視聴者の属性を変えることで、特定の住民等・需要家のみに特定の自治体情報を提供することができ、自治体１００からの情報を適切かつ柔軟に提供することが可能となる。
【００３２】
従って、例えば、地域ごとに防災情報を変えたり、特定の住民のみに特定の防災情報を提供したりすることが可能となる。同様に、独り暮らしの住民のみに特定の情報を提供したり、特定の設備を所有する住民のみに特定の情報を提供したりすることが可能となる。また、スマートメータ４およびスマートメータ網ＥＮＷを利用して情報を提供するため、自治体１００からの情報を提供するために新たな通信網を構築する必要がなく、本システム１を容易に構築することが可能となる。
【００３３】
また、ホームコントローラ５で入力された住民等からの情報が、スマートメータ４および電力会社側装置３を介して該当する自治体１００の自治体側装置２に送信されるため、住民等の情報、状況を自治体１００で確実、的確かつ容易に把握することができる。
【００３４】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、出力手段としてのホームコントローラ５がスマートメータ４に接続されているが、出力手段をスマートメータ４に一体的に設けるようにしてもよい。
【００３５】
また、自治体情報提供システム１によるサービスを複数の電力会社２００が行う場合に、自治体側装置２からすべての電力会社２００の電力会社側装置３に情報配信指令を送信し、各電力会社側装置３において該当する需要家に対して自治体情報を配信するようにしてもよい。これにより、電力自由化に伴って１つの自治体１００内で複数の電力会社２００が電力供給する場合でも、自治体１００からの情報を該当する全住民等に対して適切、確実に提供することができる。
【符号の説明】
【００３６】
１        自治体情報提供システム
２        自治体側装置
２４      配信指令部（配信指令手段）
３        電力会社側装置
３３      需要家データベース（需要家情報記憶手段）
３４      情報配信部（情報配信手段）
４        スマートメータ
５        ホームコントローラ（出力手段）
１００    自治体
２００    電力会社
Ｈ        需要家宅
【図１】
2016133840.tif 000003
【図２】
2016133840.tif 000004
【図３】
2016133840.tif 000005
【図４】
2016133840.tif 000006
【図５】
2016133840.tif 000007